(57)【要約】      （修正有）【課題】複数の太陽電池パネルを傾斜姿勢で固定する設置作業が極めて簡易迅速に行えるようにする太陽電池パネル支持金具および支持構造を提供する。【解決手段】設置面に接する接地片１２と、接地片１２から上方へ起立して太陽電池パネルを固定するパネル固定部１３が上端部に形成された起立片１４を有し、接地片１２には重錘体３１が載置される太陽電池パネル支持金具１１において、重錘体３１として、離間配置された一対の底面３２，３３と、これら底面３２，３３間に挟まれて底面３２，３３よりも上にのびる空間３４を有する重錘体３１を用いる。太陽電池パネル支持金具１１の接地片１２は、重錘体３１の一方の底面３２を支える大きさに形成され、接地片１２における起立片１４と反対側の部位には、重錘体３１を載置したときに空間３４内に差し込まれる規制片１５が形成される。【選択図】図３
0003209229.tif 000002
【実用新案登録請求の範囲】
【請求項１】
太陽電池パネルが設置される設置面に接する接地片と、前記接地片から上方へ起立して太陽電池パネルを固定するパネル固定部が上端部に形成された起立片を有し、前記接地片には重錘体が載置される太陽電池パネル支持金具であって、
前記重錘体として、離間配置された一対の底面と、これら底面間に挟まれて前記底面よりも上にのびる空間を有する重錘体が用いられ、
前記接地片が、前記重錘体のいずれか一方の底面を支える大きさであるとともに、
前記接地片における前記起立片と反対側の部位であり、且つ前記接地片に載置される前記重錘体の前記いずれか一方の底面の前記空間側の位置に対応する部位に形成されて上方に延び、前記重錘体を載置したときに前記空間内に差し込まれる規制片が形成され、
前記接地片と前記起立片と前記規制片で形成されて、前記重錘体における前記いずれか一方の底面を有する部分が上から嵌る凹部を備えた
太陽電池パネル支持金具。
【請求項２】
前記起立片と前記規制片の間の隙間が、前記重錘体の前記いずれか一方の底面を有する部分と嵌合対応する大きさである
請求項１に記載の太陽電池パネル支持金具。
【請求項３】
前記接地片および前記起立片の間と前記接地片および前記規制片の間の内側の隅部に、前記重錘体の前記いずれか一方の底面の端を支えるアール部が形成された
請求項１または請求項２に記載の太陽電池パネル支持金具。
【請求項４】
前記接地片を複数備えた
請求項１から請求項３のうちいずれか一項に記載の太陽電池パネル支持金具。
【請求項５】
前記起立片の表裏両側に前記接地片を備えた
請求項１から請求項４のうちいずれか一項に記載の太陽電池パネル支持金具。
【請求項６】
請求項１から請求項５のうちいずれか一項に記載の太陽電池パネル支持金具の前記接地片に前記重錘体を載置して構成した
太陽電池パネル支持構造。
【請求項７】
前記重錘体がコンクリートブロックである
請求項６に記載の太陽電池パネル支持構造。
【請求項８】
前記重錘体の前記空間が、前記重錘体を載置したときに前記規制片がのびる方向に貫通している
請求項６または請求項７に記載の太陽電池パネル支持構造。
【請求項９】
前記重錘体として前記一対の底面が面一である重錘体を載置して、前記重錘体の他方の前記底面における前記空間と反対側の端を前記設置面に当接させた
請求項８に記載の太陽電池パネル支持構造。
【考案の詳細な説明】
【技術分野】
【０００１】
この発明は、たとえば屋上や陸屋根、地面などの場所に太陽電池パネルを設置するための支持金具に関し、より詳しくは極めて簡単な施工を可能にする支持金具に関する。
【背景技術】
【０００２】
比較的簡単に太陽電池パネルを設置する金具として、例えば下記特許文献１に開示されているものがある。
【０００３】
この金具は、太陽電池パネルが設置される設置面に接する接地片と、この接地片の両端から上方へ起立する起立片と、これら起立片のうち一方の上端に形成されて太陽電池パネルが固定されるパネル固定部を有する構成である。金具における接地片と起立片からなる凹状の部分には、重錘として角柱状のコンクリート塊、具体的には縁石が嵌められて、縁石は金具に対してボルトで固定される。
【０００４】
金具の下部に縁石を固定して、縁石の重さで太陽電池パネルを保持するので、施工作業は比較的容易である。
【０００５】
しかし、縁石は中実であって重く、持ちにくい。このため、施工作業にかかる人的負担は大きく、作業性がよくない。
【先行技術文献】
【特許文献】
【０００６】
【特許文献１】登録実用新案第３１９４２９９号公報
【考案の概要】
【考案が解決しようとする課題】
【０００７】
この考案は、施工作業が極めて容易に効率よく行えるようにすることを主な目的とする。
【課題を解決するための手段】
【０００８】
そのための手段は、太陽電池パネルが設置される設置面に接する接地片と、前記接地片から上方へ起立して太陽電池パネルを固定するパネル固定部が上端部に形成された起立片を有し、前記接地片には重錘体が載置される太陽電池パネル支持金具であって、前記重錘体として、離間配置された一対の底面と、これら底面間に挟まれて前記底面よりも上にのびる空間を有する重錘体が用いられ、前記接地片が、前記重錘体のいずれか一方の底面を支える大きさであるとともに、前記接地片における前記起立片と反対側の部位であり、且つ前記接地片に載置される前記重錘体の前記いずれか一方の底面の前記空間側の位置に対応する部位に形成されて上方に延び、前記重錘体を載置したときに前記空間内に差し込まれる規制片が形成され、前記接地片と前記起立片と前記規制片で形成されて、前記重錘体における前記いずれか一方の底面を有する部分が上から嵌る凹部を備えた太陽電池パネル支持金具である。
【０００９】
この構成では、パネル固定部が太陽電池パネルの裏面に取り付けられた太陽電池パネル支持金具を接地片が設置面に当たる向きにしてから、空間を有しており持ちやすく軽い重錘体の一部、つまり一方の底面を接地片にのせると、太陽電池パネルの位置固定がなされる。重錘体の載置に際しては、接地片と起立片と規制片で形成される凹部に一方の体面を有する部分を上から嵌めるだけである。載置状態において、重錘体の他方の底面は設置面に直接接し、重錘体は安定する。
【考案の効果】
【００１０】
この考案によれば、太陽電池パネルを設置する作業は極めて容易に効率よく行える。
【図面の簡単な説明】
【００１１】
【図１】太陽電池パネル支持構造の斜視図。
【図２】太陽電池パネル支持構造の一部断面側面図。
【図３】要部の斜視図。
【図４】施工の一工程を示す斜視図。
【図５】施工の一工程を示す斜視図。
【図６】設置状態の要部の断面図。
【図７】設置状態の要部の断面図。
【図８】設置状態の比較例を示す正面図。
【図９】他の例に係る太陽電池パネル支持具の要部の側面図。
【図１０】他の例に係る太陽電池パネル支持構造の一部断面側面図。
【図１１】他の例に係る太陽電池パネル支持構造の部分側面図。
【図１２】他の例に係る太陽電池パネル支持金具の斜視図。
【考案を実施するための形態】
【００１２】
この考案を実施するための一形態を、以下図面を用いて説明する。  
図１に、太陽電池パネル支持金具１１（以下、「支持金具」という）を用いた太陽電池パネル支持構造２１（以下、「支持構造」という）の斜視図を示す。支持構造２１は、一部断面側面図である図２に見られるように、支持金具１１の接地片１２に重錘体３１を載置して構成される。
【００１３】
太陽電池パネル２５は南側を下にして斜めに設置するため、支持金具１１は、下側（南側）の支持金具１１ａと、上側（北側）の支持金具１１ｂの２種類を有するが、これらはいずれも、太陽電池パネル２５が設置される設置面２７に接する接地片１２と、この接地片１２から上方へ起立して太陽電池パネルの縁部の裏面に固定するパネル固定部１３が上端部に形成された起立片１４を有する。起立片１４は真っ直ぐ上方にのびている。前述のように接地片１２は重錘体３１が載置される部分である。なお、前述の「南側」と「北側」とは、厳密な意味での南北を意味するものではない。
【００１４】
支持金具１１は帯状の金属板をプレスで折り曲げて製造されるもので、全体が同一幅である。
【００１５】
ここで、重錘体３１について説明する。重錘体３１は、図３に示したように、離間配置された一対の底面３２，３３と、これら底面３２，３３間に挟まれて底面３２，３３よりも上にのびる空間３４を有する構造である。重錘体３１の一対の底面３２，３３は面一である。また、底面３２，３３から上方の部分、つまり底面３２，３３を有する部分３５，３６は適宜厚さの板状である。
【００１６】
このような重錘体３１としては貫通した空間３４（空洞）を有する公知のコンクリートブロック３１ａを好適に使用できる。コンクリートブロック３１ａは、持ちやすい形状である上に、比較的軽量で、しかも安価である。この説明においては、重錘体３１としてコンクリートブロック３１ａを用いた例を示す。
【００１７】
重錘体３１を錘とする支持金具１１の接地片１２は、重錘体３１のいずれか一方の底面３２，３３を支える大きさである。好ましくは、接地片１２の大きさは、いずれか一方の底面３２，３３を有する部分３５，３６の厚さ、つまりその底面３２，３３の幅よりも若干大きく、底面３２，３３が接地片１２上で徒に移動することを規制できる程度であるとよい。
【００１８】
起立片１４は、特に下側の支持金具１１ａにおいては重錘体３１の高さを考慮して適宜の長さに設定されており、上端が一方、ここでは接地片１２を有する側と反対側に屈曲されて前述のパネル固定部１３が形成されている。パネル固定部１３は板状であり、中央部に太陽電池パネル２５の裏面に固定するため貫通穴１３ａが形成されている。パネル固定部１３の大きさは、太陽電池パネル２５の裏面に固定したときに、パネル固定部１３の基部１３ｂが太陽電池パネル２５よりも外側に出る大きさである。パネル固定部１３は基部１３ｂと反対側の先端に立ち上がり片１３ｃを有し、前述の貫通穴１３ａは長穴で構成されている。立ち上がり片１３ｃは固定に際しての回り止めのための部位であり、図２に示したように太陽電池パネル２５のフレームにおける裏面の縁２５ａに係止する。貫通穴１３ａを長穴で構成するのは、太陽電池パネル２５のフレームの裏面部分の長さの違いに対応するためである。
【００１９】
２種類の支持金具１１ａ，１１ｂのうち下側の支持金具１１ａのパネル固定部１３は先端が斜め上に上がり、上側の支持金具１１ｂのパネル固定部１３は先端が斜め下に下がっている。これら支持金具１１ａ，１１ｂのパネル固定部１３の傾斜角度は同一であり、必要に応じて適宜設定される。
【００２０】
接地片１２における起立片１４と反対側の部位であり、且つ接地片１２に載置される重錘体３１の一方の底面３２の空間３４側の位置に対応する部位には、規制片１５が形成されている。規制片１５は、真っ直ぐ上方に延び、重錘体３１を載置したときに空間３４内に差し込まれる部分である。規制片１５の長さは、空間３４の形状や必要性に応じて適宜設定される。たとえば空間３４が上下方向に貫通するものである場合には、規制片１５の長さを必要な範囲で長く設定することができる。一方、空間３４が上下方向に貫通しないで天井を有するものである場合には、規制片１５の長さは天井に当たる長さ以下の長さに設定する必要がある。
【００２１】
接地片１２の大きさは前述のように、底面３２の幅よりも若干大きく設定されているので、起立片１４と規制片１５の間の隙間は、重錘体３１の一方の底面３２を有する部分３５と嵌合対応する大きさとなる。つまり接地片１２と起立片１４と規制片１５で形成された凹部１６は、重錘体３１における一方の底面３２を有する部分３５が上から嵌る部分である。重錘体３１であるコンクリートブロック３１ａの空洞、つまり貫通した空間３４の断面方向の大きさは、上と下で大きさがわずかに異なる。このため、一方の底面３２を有する部分３５の厚さも異なるので、凹部１６は、上下のいずれが底面３２となっても嵌るように設定される。
【００２２】
また、接地片１２および起立片１４の間と接地片１２および規制片１５の間の内側の隅部には、重錘体３１の一方の底面３２の端を支えるアール部１７が形成されている。
【００２３】
なお、前述のように起立片１４の上端のパネル固定部１３は接地片１２と反対の方向に形成されており、パネル固定部１３は太陽電池パネル２５の縁部の裏面に固定されるとともに、パネル固定部１３の大きさが太陽電池パネル２５の裏面に固定したときにパネル固定部１３の基部１３ｂが太陽電池パネル２５より外側に出る大きさであるので、接地片１２を設置面２７に置いたときに、接地片１２は、平面視において太陽電池パネル２５の外縁よりも外方に出ることになる。
【００２４】
以上のように構成された支持金具１１を用いて太陽電池パネル２５を設置する作業は次のように行う。
【００２５】
まず、図４に示したように太陽電池パネル２５を表裏反転して、太陽電池パネル２５の四隅に２種類の支持金具１１をそれぞれ２個ずつボルト２８で固定する。このあと太陽電池パネル２５を反転して、支持金具１１の接地片１２を設置面２７の所望位置に置く。すると、太陽電池パネル２５は、太陽電池パネル２５を設置したときと同じ状態になる。
【００２６】
このように太陽電池パネル２５を支持金具１１ごと、所定の設置位置に置いてから、図５に示したように、すべての支持金具１１を重錘体３１で押さえつけて、位置固定する。重錘体３１は、貫通している空間３４が、重錘体３１を載置したときに規制片１５がのびる方向に貫通する向き、つまり、上下方向に向けた状態で置かれる。前述のように支持金具１１の接地片１２は太陽電池パネル２５の外縁よりも外方に位置するので、重錘体３１を置く作業は容易である。重錘体を置くときには、重錘体３１の一方の底面３２を有する部分３５を支持金具１１の凹部１６に対して嵌めて、その一方の底面３２を接地片１２の上にのせる。
【００２７】
支持金具１１の接地片１２に重錘体３１の一部、つまり一方の底面３２をのせると、重錘体３１の他方の底面３３は設置面２７に接する。設置面２７の状態にもよるが、支持金具１１の接地片１２の上面が設置面２７よりも高い場合には、図６に示したように、重錘体３１の他方の底面３３における空間３４と反対側の端３３ａが設置面２７に当接する。その端３３ａは、線状をなす角であり、これが設置面２７に突き刺さるように強く当たる。
【００２８】
また、一方の底面３２と支持金具１１のアール部１７との間では、一方の底面３２が水平のときはもちろんのこと、傾斜した場合でも、底面３２の両方の端３２ａはアール部１７の存在によって、安定する。
【００２９】
太陽電池パネル２５を南北に並べて設置する場合には、前述のように１個の重錘体３１で１個の支持金具１１を固定して並べてもよいが、図７に示したように、１個の重錘体３１で下側の支持金具１１ａと上側の支持金具１１ｂを固定することができる。つまり、支持金具１１を取り付けた太陽電池パネル２５を重錘体３１の大きさに見合った間隔をあけて南北に並べて、下側の支持金具１１ａと上側の支持金具１１ｂに跨るように重錘体３１を嵌める。この場合は、一対の底面３２，３３とこれらを有する部分３５，３６がそれぞれ支持金具１１の凹部１６に嵌められることになる。
【００３０】
以上のように太陽電池パネル２５は、支持金具１１を固定してから太陽電池パネル２５を設置姿勢に反転して支持金具１１に重錘体３１を置くと設置が完了する。このため、太陽電池パネル２５を設置する作業が極めて簡易迅速に行える。
【００３１】
しかも、重錘体３１は一方の底面３２を有する部分３５を支持金具１１の凹部１６に嵌めて載置されるので、重錘体３１の一対の底面３２，３３を共に接地片１２の上に載置する場合と比較して、設置面２７の状態にかかわらず安定した載置状態を得ることができる。具体的には、図８に示したように支持金具１１の幅（接地片１２の幅）よりも長い重錘体３１を載置すると、設置面２７がコンクリート面で構成されていて硬い平面であるような場合には、重錘体３１の長手方向の中間位置を接地片１２にのせたときでも、仮想線で示したように長手方向に傾いてグラつくことになるが、前述のように重錘体３１の一部を載置する構成であるので、図６に示したように、重錘体３１は接地片１２の幅方向と直交する方向に傾いて接地片１２に載っていない他方の底面３３の一部が設置面２７に自ずと接することになり、安定した載置状態が得られる。
【００３２】
この安定状態は、支持金具１１の凹部１６を形成する接地片１２と起立片１４と規制片１５の各部の間に重錘体３１の一方の底面３２の端３２ａを支えるアール部１７を有していることによって、より確実に得られることになる。
【００３３】
重錘体３１にはコンクリートブロック３１ａを使用して、設置に際して空間３４が上下方向に向くように載置するので、通常考えられるようにコンクリートブロック３１ａの空間が水平に向くように載置する場合と比較して、太陽電池パネル２５の下の空間を比較的高くすることができる。このため、配線等の作業性が良いうえに、配線が不測に垂れ下がったりしても使用に支障をきたすような事態の発生を抑制できる。
【００３４】
また、起立片１４と規制片１５の間の隙間、換言すれば凹部１６の内寸が、重錘体３１の一方の底面３２を有する部分３５と嵌合対応する大きさであるので、起立片１４と規制片１５は一方の底面３２を有する部分３５の側面に接するか接近した状態になって、位置ずれのない固定が行える。
【００３５】
そのうえ接地片１２および起立片１４の間と接地片１２および規制片１５の間の内側の隅部に、重錘体３１の一方の底面３２の端３２ａを支えるアール部１７が形成されているので、設置面２７の状態にかかわらず重錘体３１は安定する。
【００３６】
重錘体３１がコンクリートブロック３１ａであるため、貫通する空間３４の存在によって人手で持ちやすく、比較的軽い。しかも、安価で入手しやすい。このため、作業性は重錘体３１として縁石を用いる場合と比べて格段に向上し、多くの太陽電池パネル２５を設置するのに好適である。
【００３７】
設置状態においてコンクリートブロック３１ａからなる重錘体３１の空間３４は、重錘体３１を載置したときに規制片１５がのびる方向に貫通している。つまり、空間３４が上下方向に貫通しているので、空間３４に雨水が入ってもすぐに下に抜ける。このため支持金具１１の状態を良好に保てる。
【００３８】
重錘体３１として一対の底面３２，３３が面一であるコンクリートブロック３１ａからなる重錘体３１を載置して、重錘体３１の他方の底面３３における空間３４と反対側の端３３ａを設置面２７に当接させて設置を行った場合には、一方の底面３２を有する部分３５が支持金具１１を押さえつけながら支持金具１１との一体性を保ち、他方の底面３３を有する部分３６が設置面２７に対して直接食いつくので、強固な固定状態を得られる。しかも、下側の支持金具１１ａにのせた重錘体３１と上側の支持金具１１ｂにのせた重錘体３１が傾く方向は相違するので、より強固な位置決めが行える。
【００３９】
以下、その他の例について説明する。この説明において、前述の構成と同一の部位については同一の符号を付してその詳しい説明を省略する。
【００４０】
図９は他の例に係る支持金具１１の要部を示す。支持金具１１の規制片１５は、外方に傾斜する傾斜片１５ａを上端に有する。
【００４１】
この構成の支持金具１１に対しては、重錘体３１の嵌合がより簡単に行えるので、作業性を向上できる。
【００４２】
図１０は１個の支持金具１１に対して複数の重錘体３１を固定する例を示している。つまり、設置箇所の環境条件、つまり風力などによって重さが必要な場合には、支持金具１１に載置した重錘体３１に対して別の重錘体３１を添わせるように置いて、これらを一体化するとよい。一体化には、たとえば公知のスチール製や樹脂製の結束バンドや針金、紐などの適宜の結束具２９を使用することができる。結束具２９は図１０に示したように空間３４に通して結束したり、支持金具１１に直接結束するとよい。
【００４３】
図１１は重錘体３１としてコンクリートブロック３１ａを用いた場合に、コンクリートブロック３１ａの向きを違えて設置した例を示している。すなわち、コンクリートブロック３１ａの貫通した複数の空間３４を上下方向に向ける姿勢ではなく、複数の空間３４が上下方向に並ぶ姿勢にして、コンクリートブロック３１ａの上下両端に現われる空間３４のうち、下端の空間３４に支持金具１１の規制片１５を差し込んでいる。この場合には、重心が高くなるので、必要であれば、仮想線で示したように適宜の結束具２９を用いて重錘体３１の上部と支持金具１１の起立片１４とを結束するとよい。
【００４４】
図１２は接地片１２を複数備えた支持金具１１を示す斜視図である。より詳しくは、起立片１４の表裏両側に接地片１２を備えている。
【００４５】
この支持金具１１は、重錘体３１として用いるコンクリートブロック３１ａの空間３４の位置にわせて規制片１５を３個形成できるほどの幅広に形成され、起立片１４の下部に２個の切欠き部１４ａを設けて、その先にそれぞれ接地片１２と規制片１５を備えている。幅方向両側の接地片１２と規制片１５はパネル固定部１３の突出方向と反対の方向に向けて形成し、幅方向中間の接地片１２と規制片１５はパネル固定部１３の突出方向と同一方向に向けて形成している。
【００４６】
このような構成の支持金具１１では、前述と同様に太陽電池パネル２５の設置が行われ、パネル固定部１３と反対側にのびる接地片１２に対しては、重錘体３１を上から下ろして載置する。パネル固定部１３と同一方向に延びる接地片１２は、太陽電池パネル２５の下方に位置することになるので、図１２に実線で示した重錘体３１のように貫通する複数の空間３４が水平方向に並ぶ姿勢に置いた状態から仮想線矢印で示したように重錘体３１を立てて、載置を行うとよい。
【００４７】
このように複数の接地片１２を備えて複数の重錘体３１をのせるように構成した場合には、複数の重錘体３１同士を結束するなどの作業は不要である。
【００４８】
複数の接地片１２は、起立片１４の片側のみに複数備えてもよい。
【符号の説明】
【００４９】
１１…太陽電池パネル支持金具
１２…接地片
１３…パネル固定部
１４…起立片
１５…規制片
１６…凹部
１７…アール部
２１…太陽電池パネル支持構造
２５…太陽電池パネル
２７…設置面
３１…重錘体
３１ａ…コンクリートブロック
３２，３３…底面
３２ａ…端
３３ａ…反対側の端
３４…空間
３５，３６…底面を有する部分
【図１】
0003209229.tif 000003
【図２】
0003209229.tif 000004
【図３】
0003209229.tif 000005
【図４】
0003209229.tif 000006
【図５】
0003209229.tif 000007
【図６】
0003209229.tif 000008
【図７】
0003209229.tif 000009
【図８】
0003209229.tif 000010
【図９】
0003209229.tif 000011
【図１０】
0003209229.tif 000012
【図１１】
0003209229.tif 000013
【図１２】
0003209229.tif 000014